(57)【特許請求の範囲】
【請求項１】
一対のハウジングと、光ファイバの先端が内装されて固定されている一対のフェルールの接合端面同士を前記ハウジング内で突き合わせて前記光ファイバ同士を光学的に接合する光コネクタとを含むコネクタ装置において、
前記ハウジングは前記光コネクタと嵌合する嵌合部を形成している側壁と、前記ハウジングを取付対象物へ固定する固定部とを有し、
前記固定部は前記ハウジングを前記取付対象物へ取り付ける係合部と、前記ハウジングの外面に形成されている取付部とからなり、
前記係合部は前記側壁に形成されている弾性部と、前記取付部に対向するように前記弾性部に形成されている突起部とを有し、
前記側壁には前記光コネクタを前記取付対象物へ取り付ける取付方向と直交する方向に延び、かつ対向する一対のスリットが形成されており、前記弾性部は、前記側壁に前記スリットを形成することにより、前記取付方向と直交する方向に延び、かつ前記取付方向と直交する方向の両端が前記側壁に支持されていることを特徴とする光コネクタ装置。
【発明の詳細な説明】
【技術分野】
【０００１】
本発明は、光ファイバのフェルールの接合端面同士をハウジング内で突き合わせて光ファイバ同士を光学的に接合する光コネクタとを備えているコネクタ装置に属する。
【背景技術】
【０００２】
従来技術としては、光アダプタをパネルに固定保持可能なコネクタアダプタ用取付金具と、ガタツキなくパネルに固定保持可能な光アダプタが開示されている。
【０００３】
この光アダプタでは、光アダプタをパネルに固定するための取付金具をハウジングの外面部に設けている。（例えば、特許文献１を参照）。
【０００４】
【特許文献１】特開２００４−４５６２２号公報
【発明の開示】
【発明が解決しようとする課題】
【０００５】
特許文献１では、ハウジングに取付金具を設けることから、部品点数が多くなり、作業が複雑になるという問題がある。
【０００６】
また、引用文献１では、ハウジングに取付金具を設けることから、光アダプタの小型化が困難になるという問題がある。
【０００７】
また、引用文献１では、ハウジングに変更があった場合に、金型部品を変更し、さらに変更したハウジングに対応した取付金具を採用しなければならないという問題がある。
【０００８】
さらに、引用文献１では、パネルの厚みに変更があった場合には、パネルの厚みに対応したハウジングを製作するための金型部品を改造する必要があり、パネルの厚さに対しての自由度がないという問題がある。
【０００９】
それ故に、本発明の課題は、部品点数を削減でき、取付対象物に容易に取り付けることができ、さらに取付対象物の厚さが変わっても容易に対応できる光コネクタ装置を提供することにある。
【課題を解決するための手段】
【００１０】
本発明は、一対のハウジングと、光ファイバの先端が内装されて固定されている一対のフェルールの接合端面同士を前記ハウジング内で突き合わせて前記光ファイバ同士を光学的に接合する光コネクタとを含むコネクタ装置において、前記ハウジングは前記光コネクタと嵌合する嵌合部を形成している側壁と、前記ハウジングを取付対象物へ固定する固定部とを有し、前記固定部は前記ハウジングを前記取付対象物へ取り付ける係合部と、前記ハウジングの外面に形成されている取付部とからなり、前記係合部は前記側壁に形成されている弾性部と、前記取付部に対向するように前記弾性部に形成されている突起部とを有し、前記側壁には前記光コネクタを前記取付対象物へ取り付ける取付方向と直交する方向に延び、かつ対向する一対のスリットが形成されており、前記弾性部は、前記側壁に前記スリットを形成することにより、前記取付方向と直交する方向に延び、かつ前記取付方向と直交する方向の両端が前記側壁に支持されていることを特徴とする光コネクタ装置であることを最も主要な特徴とする。
【発明の効果】
【００１１】
本発明の光コネクタ装置によれば、ハウジングの固定部の係合部に弾性部と突起部とを有し、弾性部が対向する一対のスリットにより形成されており、一対のスリットが光コネクタを取付対象物へ取り付ける取付方向と直交する方向に形成されているので、部品点数を削減でき、しかも取付対象物に容易に取り付けることができる。
【００１２】
また、本発明の光コネクタ装置によれば、取付対象物の厚さが変わってもスリットを形成するための平板形状の金型部品により取付対象物の厚さに対応した固定部を成型できるので、取付対象物の厚さに対しての自由度もあり、取付対象物への取り付けも簡単にすることができる。
【００１３】
また、本発明の光コネクタ装置は、取付対象物への挿入方向の寸法を小さくでき、小型化が可能となる。
【発明を実施するための最良の形態】
【００１４】
本発明の光コネクタ装置は、一対のハウジングと、光ファイバの先端が内装されて固定されている一対のフェルールの接合端面同士を前記ハウジング内で突き合わせて前記光ファイバ同士を光学的に接合する光コネクタとを含むコネクタ装置において、前記ハウジングは前記光コネクタと嵌合する嵌合部を形成している側壁と、前記ハウジングを取付対象物へ固定する固定部とを有し、前記固定部は前記ハウジングを前記取付対象物へ取り付ける係合部と、前記ハウジングの外面に形成されている取付部とからなり、前記係合部は前記側壁に形成されている弾性部と、前記取付部に対向するように前記弾性部に形成されている突起部とを有し、前記側壁には前記光コネクタを前記取付対象物へ取り付ける取付方向と直交する方向に延び、かつ対向する一対のスリットが形成されており、前記弾性部は、前記側壁に前記スリットを形成することにより、前記取付方向と直交する方向に延び、かつ前記取付方向と直交する方向の両端が前記側壁に支持されていることにより実現した。
【実施例１】
【００１５】
以下、図面を参照して本発明に係る光コネクタの実施例１を説明する。図１は、本発明に係る光コネクタ装置の嵌合前の状態を示している。図２は、光コネクタ装置をパネルのような対象物へ取り付ける前の状態を示している。図３は、光コネクタ装置を取付対象物へ取り付けた後の状態を示している。
【００１６】
図１乃至図３を参照して、光コネクタ装置は、光コネクタ１１と、一対の光コネクタ１１同士を接合する相手側コネクタ（アダプタとも呼ぶ）３１とを有する。
【００１７】
光コネクタ１１は、光ファイバ１３を保持するフェルール１５と、フェルール１５を収容し保持しているコネクタハウジング２１とを有している。
【００１８】
光コネクタ１１は、光ファイバ１３の先端が内装されて固定されている一対のフェルール１５の接合端面１５ａ同士を相手側コネクタ３１内で突き合わせて、光ファイバ１３同士を光学的に接合するものである。なお、実施例１においては、一方の光コネクタ１１のみを図示している。
【００１９】
相手側コネクタ３１は、互いに嵌合方向Ａ及び嵌合方向Ａとは逆向きの引き抜き方向で互いに対向させて突き合わせている一対のハウジング３３ａ，３３ｂを有している。一対のハウジング３３ａ、３３ｂのそれぞれには、嵌合方向Ａ及び引き抜き方向に嵌合部３５ａ、３５ｂが形成されている。
【００２０】
一方のハウジング３３ａは、対向する一対の側壁３３ｍ，３３ｐと、一対の側壁３３ｍ，３３ｐを相互に接続している一対の側壁（図示せず）とを有する。嵌合部３５ａは、４つの側壁を筒状に形成することによって構成されている。他方のハウジング３３ｂは、対向する一対の側壁３３ｎ，３３ｑと、一対の側壁３３ｎ，３３ｑを相互に接続している一対の側壁（図示せず）とを有する。嵌合部３５ｂは、４つの側壁を筒状に形成することによって構成されている。嵌合部３５ａ、３５ｂのそれぞれには、フェルール１５を挿入させる筒状のフェルール保持部３７ａ、３７ｂが設けられている。フェルール保持部３７ａ、３７ｂは、嵌合部３５ａ、３５ｂの嵌合方向Ａ側に設けられている底板部３５ｄ、３５ｆの底板部３５ｄ、３５ｆから嵌合部３５ａ、３５ｂの開口側へ延びている。
【００２１】
一対のハウジング３３ａ，３３ｂの外面には、一対のハウジング３３ａ，３３ｂの突き合わせ部分にフランジ状に形成されている取付部３３ｃ，３３ｄが形成されている。取付部３３ｃ，３３ｄには、図２及び図３に示した機器の筐体（取付対象物）もしくはパネル（取付対象物）５１に取付部３３ｃ，３３ｄをネジによって取り付けるための取付孔３３ｒ，３３ｓが形成されている。
【００２２】
一方のフェルール保持部３７ａには、図１に示した光コネクタ１１が嵌合方向Ａで挿入される。もう一方のフェルール保持部３７ｂには、光コネクタ１１と同一形状である光コネクタ（図示せず）が引き抜き方向で挿入されると、光ファイバ１３同士が接続する。
【００２３】
さらに、一対のハウジング３３ａ、３３ｂは、ハウジング３３ａ、３３ｂをパネル５１へ取り付けるための係合部３５，３６を有している。ここで、係合部３５，３６と取付部３３ｃ，３３ｄとは、これらで固定部を構成している。
【００２４】
一方の係合部３５は、嵌合部３５ａを形成している一方のハウジング３３ａの側壁３３ｍに形成されている弾性部３８ａと、取付部３３ｃに対向するように弾性部３８ａに形成されている突起部３９ａとを有している。
他方の係合部３６は、嵌合部３５ｂを形成している他方のハウジング３３ｂのの側壁３３ｎに形成されている弾性部３８ｂと、取付部３３ｄに対向するように弾性部３８ｂに形成されている突起部３９ｂとを有している。なお、実施例１では、係合部３５，３６は、一対のハウジング３３ａ，３３ｂの側壁３３ｍ，３３ｎに対向しているもう一方の側壁３３ｐ，３３ｑにも弾性部３８ａ、３８ｂと突起部３９ａ、３９ｂとを有している。
【００２５】
即ち、実施例１において、一方のハウジング３３ａの対向する側壁３３ｍ，３３ｐには、光コネクタ１１をパネル５１へ取り付ける取付方向と直交する方向へ延び、かつ対向するように一対のスリット４１ａ、４２ａが形成されている。また、他方のハウジング３３ｂの側壁３３ｎ，３３ｑには、光コネクタ１１をパネル５１へ取り付ける取付方向と直交する方向へ延び、かつ対向するように一対のスリット４１ｂ、４２ｂが形成されている。スリット４１ａ、４２ａ，４１ｂ、４２ｂは、光コネクタ１１をパネル５１へ取り付ける取付方向と直交する方向に延びている。弾性部３８ａ、３８ｂは、一対のスリット４１ａ、４２ａ，４１ｂ、４２ｂを形成することにより、光コネクタ１１をパネル５１へ取り付ける取付方向と直交する方向に延び、かつ取付方向と直交する方向の両端が側壁３３ｍ，３３ｎ，３３ｐ，３３ｑに支持されている。なお、一対のスリット４１ａ、４２ａ，４１ｂ、４２ｂは、溝もしくは開口などである。
【００２６】
以下に、図２に示したパネル５１に一方のハウジング３３ｂを取り付ける作業を説明する。図２に示した一方のハウジング３３ｂをパネル５１に取り付けるには、ハウジング３３ｂをパネル５１に形成されている窓部５１ａへハウジング３３ｂを挿入する。ハウジング３３ｂを挿入する際には、突起部３９ｂに窓部５１ａの縁が当たり、さらに挿入すると窓部５１ａの縁によって突起部３９ｂが押されて弾性部３８ｂが変形する。このとき、突起部３９ｂは嵌合部３５ｂ側へ沈み込むようにおされるので、窓部５１ａの縁を通り抜けたときに弾性部３８ｂが自然状態に戻り突起部３９ｂと取付部３３ｄによってハウジング３３ｂが固定される。
【００２７】
なお、もう一方のハウジング３３ａをパネル５１に取り付ける場合には、一方のハウジング３３ｂをパネル５１に取り付ける作業と同じようにして窓部５１ａへハウジング３３ａを挿入して取り付け固定する。
【００２８】
また、ハウジング３３ａ，３３ｂは、樹脂材を用いてモールド成型加工することにより作ることができる。したがって、ハウジング３３ａ，３３ｂを取り付けるパネル５１が代わり、パネル５１の厚みが変わったときには、図４に示すように、スリット４１ａ、４２ａ，４１ｂ、４２ｂの幅寸法を変えるために、平板形状の金型部品６１における先端部６１ａの寸法ｔを改造することで対応する。
【００２９】
したがって、簡単な金型部品６１の変更により、パネル厚みが変更になっても変更への自由度があるので、これまでのように取り付けに際しての操作性を損なうことなくかつ部品点数も増やすことなく取り付け、変更が可能な構造を提供できる。
【００３０】
さらに、ハウジング３３ａ，３３ｂの変形例としては、ハウジング３３ａ，３３ｂを取り付けるパネル５１の厚みが変わったときに対応させることも可能である。
【００３１】
図５はハウジング３３ａ，３３ｂの変形例を示している。図５に示したように取付部３３ｄに対向している突起部３９ｂには、突起部３９ｂの対向面をスリット４２ｂへ取付部３３ｄ及び突起部３９ｂ間が狭くなるようにテーパー面３９ｅを形成することで、パネル５１の厚みの変化に対応することも可能である。
【００３２】
同様に、取付部３３ｃに対向している突起部３９ａには、突起部３９ａの対向面をスリット４２ａへ取付部３３ｃ及び突起部３９ａｂ間が狭くなるようにテーパー面を形成することで、パネル５１の厚みの変化に対応することも可能である。
【図面の簡単な説明】
【００３３】
【図１】本発明に係る光コネクタ装置の実施例１を示す斜視断面図である。
【図２】図１に示した光コネクタ装置のハウジングをパネルに取り付ける前の状態を示した斜視図である。
【図３】図１に示した光コネクタ装置のハウジングをパネルに取り付けた状態を示した斜視図である。
【図４】図１に示した光コネクタ装置のハウジングと金型部品とを示した斜視図である。
【図５】図１に示した光コネクタ装置のハウジングの変形例を示した断面図である。
【符号の説明】
【００３４】
１１    光コネクタ
１３    光ファイバ
１５    フェルール
１５ａ  接合端面
２１    コネクタハウジング
３１    相手側コネクタ
３３ａ，３３ｂ    ハウジング
３３ｃ，３３ｄ    取付部
３３ｍ，３３ｎ，３３ｐ，３３ｑ    側壁
３５，３６    係合部
３５ａ，３５ｂ    嵌合部
３５ｄ，３５ｆ    底板部
３７ａ，３７ｂ    フェルール保持部
３８ａ，３８ｂ    弾性部
３９ａ，３９ｂ    突起部
４１ａ，４２ａ，４１ｂ，４２ｂ    スリット
５１    パネル
６１    金型部品
Ａ    嵌合方向
【図１】
0004017172.tif 000002
【図２】
0004017172.tif 000003
【図３】
0004017172.tif 000004
【図４】
0004017172.tif 000005
【図５】
0004017172.tif 000006